(57)【要約】【課題】飛散トナーとオゾンが混じることによる異臭の発生を防止する。【解決手段】画像形成装置１は、感光体３１を帯電させる帯電部３２と、帯電され露光された感光体３１にトナーを供給する現像部３３と、現像部３３から飛散したトナーを含む空気からトナーを分離するために空気の流れを導く現像吸引経路と、帯電部３２において発生したオゾンを含む空気からオゾンを除去するために空気の流れを導くオゾン経路と、現像吸引経路内の空気の流れを発生させる現像吸引用ファン８２と、オゾン経路内の空気の流れを発生させるオゾン用ファン９２と、を備える。現像吸引経路とオゾン経路は、合流することなく、別々に設けられている。【選択図】図１
2020187284.tif 000002
【特許請求の範囲】
【請求項１】
感光体を帯電させる帯電部と、
前記帯電され露光された感光体にトナーを供給する現像部と、
前記現像部から飛散したトナーを含む空気からトナーを分離するために空気の流れを導く現像吸引経路と、
前記帯電部において発生したオゾンを含む空気からオゾンを除去するために空気の流れを導くオゾン経路と、
前記現像吸引経路内の空気の流れを発生させる現像吸引用ファンと、
前記オゾン経路内の空気の流れを発生させるオゾン用ファンと、
を備える画像形成装置であって、
前記現像吸引経路と前記オゾン経路は、合流することなく、別々に設けられている画像形成装置。
【請求項２】
前記オゾン経路は、前記現像吸引経路より前記感光体から離れた位置に配置されている請求項１に記載の画像形成装置。
【請求項３】
前記現像吸引用ファンと前記オゾン用ファンは、上下方向に並んで配置されている請求項１又は２に記載の画像形成装置。
【請求項４】
前記現像吸引用ファンの排気口と前記オゾン用ファンの排気口が平行になるように配置されている請求項１から３のいずれか一項に記載の画像形成装置。
【請求項５】
前記オゾン経路において、前記オゾン用ファンの近傍のダクトは、前記オゾン用ファンに向けて、断面積が大きくなっていくように形成されている請求項１から４のいずれか一項に記載の画像形成装置。
【請求項６】
前記オゾン経路の下側に、加熱源が配置されている請求項１から５のいずれか一項に記載の画像形成装置。
【請求項７】
前記オゾン経路の空気が流れる方向と直交する奥行き方向の幅は、前記現像吸引経路の空気が流れる方向と直交する奥行き方向の幅より小さい請求項１から６のいずれか一項に記載の画像形成装置。
【請求項８】
前記オゾン経路の一部は、独立して交換可能となっている請求項１から７のいずれか一項に記載の画像形成装置。
【請求項９】
前記画像形成装置における機械動作の中で、前記オゾン用ファンの動作を画像形成動作より早く開始させる制御部を備える請求項１から８のいずれか一項に記載の画像形成装置。
【請求項１０】
前記画像形成装置における機械動作の中で、前記オゾン用ファンの動作を画像形成動作より遅く終了させる制御部を備える請求項１から９のいずれか一項に記載の画像形成装置。
【発明の詳細な説明】
【技術分野】
【０００１】
本発明は、画像形成装置に関する。
【背景技術】
【０００２】
従来、トナーを用いて用紙に画像を形成する電子写真方式の画像形成装置が知られている。このような画像形成装置において、現像部で発生した飛散トナーを吸引してサイクロン部により遠心分離することでトナーをトナー貯留部に回収し、遠心分離できなかったトナーをフィルターで捕集するものが利用されている（特許文献１参照）。
【０００３】
また、電子写真方式の画像形成装置では、感光体に対する帯電プロセスにおける放電により、オゾンが発生する。
【先行技術文献】
【特許文献】
【０００４】
【特許文献１】特開２０１７−９０６４５号公報
【発明の概要】
【発明が解決しようとする課題】
【０００５】
しかしながら、飛散トナーとオゾンが混じると、異臭が発生するという問題があった。画像形成装置内で発生するオゾンは、飛散トナーとともに吸引されるか、飛散トナーとは別の経路で吸引される。オゾンを飛散トナーとは別の経路で吸引する画像形成装置においても、現像部からの吸引経路と、帯電部からの吸引経路とが、サイクロン部を通過する前で合流しているため、飛散トナーとオゾンが混じることを回避できなかった。
【０００６】
本発明は、上記の従来技術における問題に鑑みてなされたものであって、飛散トナーとオゾンが混じることによる異臭の発生を防止することを課題とする。
【課題を解決するための手段】
【０００７】
上記課題を解決するために、請求項１に記載の発明は、感光体を帯電させる帯電部と、前記帯電され露光された感光体にトナーを供給する現像部と、前記現像部から飛散したトナーを含む空気からトナーを分離するために空気の流れを導く現像吸引経路と、前記帯電部において発生したオゾンを含む空気からオゾンを除去するために空気の流れを導くオゾン経路と、前記現像吸引経路内の空気の流れを発生させる現像吸引用ファンと、前記オゾン経路内の空気の流れを発生させるオゾン用ファンと、を備える画像形成装置であって、前記現像吸引経路と前記オゾン経路は、合流することなく、別々に設けられている。
【０００８】
請求項２に記載の発明は、請求項１に記載の画像形成装置において、前記オゾン経路は、前記現像吸引経路より前記感光体から離れた位置に配置されている。
【０００９】
請求項３に記載の発明は、請求項１又は２に記載の画像形成装置において、前記現像吸引用ファンと前記オゾン用ファンは、上下方向に並んで配置されている。
【００１０】
請求項４に記載の発明は、請求項１から３のいずれか一項に記載の画像形成装置において、前記現像吸引用ファンの排気口と前記オゾン用ファンの排気口が平行になるように配置されている。
【００１１】
請求項５に記載の発明は、請求項１から４のいずれか一項に記載の画像形成装置において、前記オゾン経路において、前記オゾン用ファンの近傍のダクトは、前記オゾン用ファンに向けて、断面積が大きくなっていくように形成されている。
【００１２】
請求項６に記載の発明は、請求項１から５のいずれか一項に記載の画像形成装置において、前記オゾン経路の下側に、加熱源が配置されている。
【００１３】
請求項７に記載の発明は、請求項１から６のいずれか一項に記載の画像形成装置において、前記オゾン経路の空気が流れる方向と直交する奥行き方向の幅は、前記現像吸引経路の空気が流れる方向と直交する奥行き方向の幅より小さい。
【００１４】
請求項８に記載の発明は、請求項１から７のいずれか一項に記載の画像形成装置において、前記オゾン経路の一部は、独立して交換可能となっている。
【００１５】
請求項９に記載の発明は、請求項１から８のいずれか一項に記載の画像形成装置において、前記画像形成装置における機械動作の中で、前記オゾン用ファンの動作を画像形成動作より早く開始させる制御部を備える。
【００１６】
請求項１０に記載の発明は、請求項１から９のいずれか一項に記載の画像形成装置において、前記画像形成装置における機械動作の中で、前記オゾン用ファンの動作を画像形成動作より遅く終了させる制御部を備える。
【発明の効果】
【００１７】
本発明によれば、飛散トナーとオゾンが混じることによる異臭の発生を防止することができる。
【図面の簡単な説明】
【００１８】
【図１】本発明の実施形態における画像形成装置の全体構成を示す概略図である。
【図２】画像形成装置の機能的構成を示すブロック図である。
【図３】トナー捕集ユニットを模式的に示す図である。
【図４】トナー捕集ユニットの外観斜視図である。
【図５】トナー捕集ユニットを取り外す際の様子を示す図である。
【発明を実施するための形態】
【００１９】
以下、図面を参照して、本発明の実施形態について説明する。ただし、発明の範囲は、図示例に限定されない。
【００２０】
図１は、本発明の実施形態における画像形成装置１の全体構成を示す概略図である。また、図２は、画像形成装置１の機能的構成を示すブロック図である。
【００２１】
画像形成装置１は、電子写真方式により用紙に画像を形成するものであり、イエロー（Ｙ）、マゼンタ（Ｍ）、シアン（Ｃ）、及びブラック（Ｋ）の４色のトナーを重ね合わせるタンデム形式のカラー画像形成装置である。
【００２２】
画像形成装置１は、外装を形成する略直方体状の装置本体部１Ａを有し、この装置本体部１Ａには、用紙収納部１０と、画像読取部２０と、画像形成部３０と、定着部４０と、制御部５０と、記憶部６０と、操作表示部７０と、トナー捕集ユニット１００と、現像吸引用ファン８２と、オゾン用ファン９２と、電源２００とが設けられている。
【００２３】
用紙収納部１０は、画像形成装置１の下部に配置されており、用紙のサイズや種類に応じた複数のトレイ１１が設けられている。用紙は、トレイ１１から給紙されて搬送部１２に送られ、搬送部１２によって画像形成部３０及び定着部４０に搬送される。
【００２４】
画像読取部２０は、図示しない原稿搬送部により搬送された原稿又は原稿台２１に載置された原稿の画像を読み取って、画像データを生成する。また、画像読取部２０は、Ａ／Ｄ変換によって作成された画像データに、シェーディング補正やディザ処理、圧縮等の処理を施し、制御部５０に出力する。
なお、画像形成に用いる画像データは、画像読取部２０から出力されるデータに限定されず、画像形成装置１に接続されたパーソナルコンピューター等の外部装置から受信したものであってもよい。
【００２５】
画像形成部３０は、画像データに基づいて用紙に画像形成を行う。
画像形成部３０は、Ｙ、Ｍ、Ｃ及びＫの色成分に各々対応する４組の画像形成ユニット３０Ｙ，３０Ｍ，３０Ｃ，３０Ｋと、中間転写ベルト３４と、１次転写部３５と、２次転写ローラー３６とを備えている。
【００２６】
画像形成ユニット３０Ｙ，３０Ｍ，３０Ｃ，３０Ｋの各々は、ドラム状の感光体３１、この感光体３１の周囲に配置された帯電部３２、露光部（図示せず）、現像部３３及びクリーニング部（図示せず）等を有している。
【００２７】
帯電部３２は、感光体３１の表面を一様に帯電させる。露光部は、帯電された感光体３１上にレーザー光を照射、露光することにより、感光体３１上に静電潜像を形成する。現像部３３は、露光された感光体３１上に所定の色（Ｙ、Ｍ、Ｃ及びＫのいずれか）のトナーを供給し、感光体３１上に形成された静電潜像を現像する。
【００２８】
Ｙ、Ｍ、Ｃ及びＫに対応する４つの感光体３１上に各々Ｙ、Ｍ、Ｃ及びＫのトナーで形成された画像（単色画像）は、各感光体３１から中間転写ベルト３４に転写される。中間転写ベルト３４は、複数の搬送ローラーに巻き回された無端ベルトであり、各搬送ローラーの回転に従って回転する。
中間転写ベルト３４の内周側における画像形成ユニット３０Ｙ，３０Ｍ，３０Ｃ，３０Ｋの各感光体３１と対向する位置には、１次転写部３５が設けられている。この１次転写部３５は、中間転写ベルト３４にトナーと反対の極性の電圧を印加することで、感光体３１上に付着したトナーを中間転写ベルト３４に転写させる。
【００２９】
中間転写ベルト３４の表面には、４つの画像形成ユニット３０Ｙ，３０Ｍ，３０Ｃ，３０Ｋで形成されたトナー像が順次転写される。すなわち、中間転写ベルト３４上には、Ｙ、Ｍ、Ｃ及びＫを色成分とするトナー像が重なり合い、カラー画像が形成される。
【００３０】
中間転写ベルト３４の外周側にて対向する位置に２次転写ローラー３６が配設されている。この２次転写ローラー３６と中間転写ベルト３４とが接触するニップ部が転写位置であり、２次転写ローラー３６は、搬送部１２によって搬送されてきた用紙を中間転写ベルト３４に接触させて、中間転写ベルト３４の外周面上に形成されているトナー像を用紙に転写する。
【００３１】
２次転写ローラー３６における用紙の排出側には、定着部４０が設けられている。
定着部４０は、加熱ローラー及び加圧ローラーからなる一対のローラーを備えている。用紙は、当該一対のローラーのニップ部を通ることにより熱と圧力が加えられ、用紙上に転写されたトナー像が溶融定着する。
【００３２】
また、４つの画像形成ユニット３０Ｙ，３０Ｍ，３０Ｃ，３０Ｋの各現像部３３近傍には、それぞれ現像吸引ダクト８０が配設されている。つまり、４つの画像形成ユニット３０Ｙ，３０Ｍ，３０Ｃ，３０Ｋに対応して４つの現像吸引ダクト８０が設けられている。各現像吸引ダクト８０は、対応する画像形成ユニット３０Ｙ，３０Ｍ，３０Ｃ，３０Ｋの現像部３３から飛散したトナーを含むトナー含有空気を吸引する。図１中において、トナー含有空気の流れを模式的に一点鎖線の矢印で表している。
【００３３】
４つの現像吸引ダクト８０は、それぞれ現像共通ダクト８１に接続されている。現像共通ダクト８１は、上下方向に延びる中空の直方体状に形成され、４つの現像吸引ダクト８０からトナー捕集ユニット１００にトナー含有空気を導く役割を具備している。
【００３４】
現像共通ダクト８１の４つの画像形成ユニット３０Ｙ，３０Ｍ，３０Ｃ，３０Ｋと対向する側面には、現像吸引ダクト８０を接続可能な４つの連通口（図示せず）が設けられている。一方、現像共通ダクト８１の４つの画像形成ユニット３０Ｙ，３０Ｍ，３０Ｃ，３０Ｋと対向する側と反対側には、トナー捕集ユニット１００の流入口１１１（図３参照）が接続される接続口８１ａが設けられている。
【００３５】
現像共通ダクト８１から流入し、トナー捕集ユニット１００を通った空気を導く経路の先には、現像吸引用ファン８２が配設されている。現像吸引用ファン８２は、現像吸引ダクト８０及び現像共通ダクト８１からトナー捕集ユニット１００の内部を経て画像形成装置１の外部に排出される空気の流れを発生させる。現像吸引用ファン８２としては、シロッコファン、プロペラファン等が用いられる。
また、現像吸引用ファン８２は、回転速度（単位時間あたりの回転数）を算出するためのパルス信号を制御部５０に出力する。
【００３６】
また、４つの画像形成ユニット３０Ｙ，３０Ｍ，３０Ｃ，３０Ｋの各帯電部３２近傍には、それぞれ帯電吸引ダクト９０が配設されている。つまり、４つの画像形成ユニット３０Ｙ，３０Ｍ，３０Ｃ，３０Ｋに対応して４つの帯電吸引ダクト９０が設けられている。各帯電吸引ダクト９０は、対応する画像形成ユニット３０Ｙ，３０Ｍ，３０Ｃ，３０Ｋの帯電部３２において発生したオゾンを含むオゾン含有空気を吸引する。図１中において、オゾン含有空気の流れを模式的に二点鎖線の矢印で表している。
【００３７】
４つの帯電吸引ダクト９０は、それぞれ帯電共通ダクト９１に接続されている。帯電共通ダクト９１は、４つの帯電吸引ダクト９０からトナー捕集ユニット１００にオゾン含有空気を導く役割を具備している。
【００３８】
帯電共通ダクト９１から流入し、トナー捕集ユニット１００を通った空気を導く経路の先には、オゾン用ファン９２が配設されている。オゾン用ファン９２は、帯電吸引ダクト９０及び帯電共通ダクト９１からトナー捕集ユニット１００の内部を経て画像形成装置１の外部に排出される空気の流れを発生させる。オゾン用ファン９２としては、シロッコファン、プロペラファン等が用いられる。
【００３９】
制御部５０は、ＣＰＵ（Central Processing Unit）、ＲＡＭ（Random Access Memory）等により構成される。制御部５０のＣＰＵは、記憶部６０に記憶されているシステムプログラムや処理プログラム等の各種プログラムを読み出してＲＡＭに展開し、展開されたプログラムに従って、各種処理を実行する。
【００４０】
記憶部６０は、ＨＤＤ（Hard Disk Drive）や不揮発性の半導体メモリー等で構成されている。
記憶部６０には、制御部５０で実行されるシステムプログラムや処理プログラムを始めとする各種プログラム、これらのプログラムの実行に必要なデータが記憶されている。
【００４１】
操作表示部７０は、表示画面を備え、画面上に各種情報の表示を行う表示部７１、及びユーザーによる各種指示の入力に使用される操作部７２を備えている。
【００４２】
トナー捕集ユニット１００（サイクロンユニット）は、外形が略直方体状に形成され、装置本体部１Ａに対して着脱可能に構成されている。
図３は、トナー捕集ユニット１００を模式的に示す図である。図３に示すように、トナー捕集ユニット１００は、トナー処理部１１０と、オゾン処理部１２０とを備える。図３中において、トナー処理部１１０における空気の流れを模式的に一点鎖線の矢印で表し、オゾン処理部１２０における空気の流れを模式的に二点鎖線の矢印で表している。
【００４３】
トナー処理部１１０は、流入口１１１と、サイクロン部１１２と、トナー貯留部１１３と、空気流路部１１４と、フィルター部１１５と、流出口１１６とを具備している。
【００４４】
流入口１１１は、現像共通ダクト８１を通過してきたトナー含有空気を受け入れる受入口である。トナー捕集ユニット１００を装置本体部１Ａに装着すると、流入口１１１は、現像共通ダクト８１の接続口８１ａに対向する。これにより、サイクロン部１１２は、流入口１１１を介して現像共通ダクト８１の内部空間に連通される。
【００４５】
サイクロン部１１２は、現像共通ダクト８１を通過し、流入口１１１を介して流入されるトナー含有空気からトナーを遠心分離する。サイクロン部１１２は、円筒状に形成されており、軸方向が上下方向（重力が作用する方向）と一致している。
また、サイクロン部１１２は、トナー貯留部１１３側の開口部に向けて、当該サイクロン部１１２の内径が小さくなっていくように形成されている。
【００４６】
サイクロン部１１２に流入されたトナー含有空気は、サイクロン部１１２の内周の接線方向に進む。これにより、サイクロン部１１２の内部には、空気が旋回する旋回流れが発生する。
旋回流れにあるトナーは、物体が円運動することで作用する遠心力により半径方向に移動するため、大部分のトナーが空気から分離（遠心分離）される。サイクロン部１１２により分離されたトナーは、自重によって下方に落下し、トナー貯留部１１３内に貯留される。一方、空気は、サイクロン部１１２の円筒部分の下端側から当該サイクロン部１１２の内側に流入し、サイクロン部１１２の上側に設けられた空気流路部１１４の流入部１１４ａに入る。
【００４７】
空気流路部１１４は、サイクロン部１１２に連通する流入部１１４ａと、流入部１１４ａに連通するフィルター配設部１１４ｂとを具備している。
流入部１１４ａは、Ｕ字型のパイプ状に形成されており、サイクロン部１１２から流入される空気を上下反転させてフィルター配設部１１４ｂに導く。
【００４８】
フィルター配設部１１４ｂには、トナーをろ過するフィルター部１１５が配設されている。
フィルター部１１５は、サイクロン部１１２を通過した空気に含まれる僅かなトナーを捕集するものであり、これにより、フィルター部１１５を通過した空気が清浄化される。フィルター部１１５には、空気が通過する方向に、複数枚のトナー防塵フィルターが重ねられて配置されている。また、フィルター部１１５に、オゾン分解フィルターが含まれることとしてもよい。
【００４９】
フィルター部１１５を通過した空気は、空気の流れ方向下流側（サイクロン部１１２と反対側）に形成されている流出口１１６から現像吸引用ファン８２側に流出される。
このように、各現像吸引ダクト８０で吸引された空気は、現像共通ダクト８１、流入口１１１、サイクロン部１１２、流入部１１４ａ、フィルター配設部１１４ｂ（フィルター部１１５）及び流出口１１６を通過し、その後、現像吸引用ファン８２を通過して画像形成装置１の外部へ排出される。この各現像吸引ダクト８０から現像吸引用ファン８２に亘って、現像部３３から飛散したトナーを含む空気からトナーを分離するために空気の流れを導く経路を、現像吸引経路という。現像吸引用ファン８２は、現像吸引経路内の空気の流れを発生させる。
【００５０】
オゾン処理部１２０は、流入口１２１と、空気流路部１２２と、フィルター部１２３と、流出口１２４とを具備している。
【００５１】
流入口１２１は、帯電共通ダクト９１を通過してきたオゾン含有空気を受け入れる受入口である。図３において、オゾン含有空気は、流入口１２１の奥側から手前側に流れ込む。
空気流路部１２２は、流入口１２１から流入した空気が通過する流路である。
空気流路部１２２には、フィルター部１２３が配設されている。
フィルター部１２３は、オゾン分解フィルターにより構成され、オゾン含有空気からオゾンを除去する。
【００５２】
フィルター部１２３を通過した空気は、空気の流れ方向下流側に形成されている流出口１２４からオゾン用ファン９２側に流出される。
このように、各帯電吸引ダクト９０で吸引された空気は、帯電共通ダクト９１、流入口１２１、フィルター部１２３及び流出口１２４を通過し、その後、オゾン用ファン９２を通過して画像形成装置１の外部へ排出される。この各帯電吸引ダクト９０からオゾン用ファン９２に亘って、帯電部３２において発生したオゾンを含む空気からオゾンを除去するために空気の流れを導く経路を、オゾン経路という。オゾン用ファン９２は、オゾン経路内の空気の流れを発生させる。
【００５３】
トナー捕集ユニット１００は、サイクロン部１１２、トナー貯留部１１３、フィルター部１１５等を含むトナー処理部１１０と、オゾン処理部１２０とが一体となって形成されている。トナー貯留部１１３は、トナー捕集ユニット１００に対して着脱可能に構成されており、トナー貯留部１１３がトナーで満たされた満杯状態となった場合に、トナー貯留部１１３を独立して交換可能となっている。
【００５４】
画像形成装置１において、現像吸引経路とオゾン経路は、途中で合流することなく、別々に設けられている。
トナー捕集ユニット１００内において、オゾン経路（オゾン処理部１２０）は、現像吸引経路（トナー処理部１１０）より各感光体３１から離れた位置に配置されている。すなわち、各現像部３３近傍からトナー処理部１１０の流入口１１１に至る経路は、各帯電部３２近傍からオゾン処理部１２０の流入口１２１に至る経路より短い。
【００５５】
現像吸引用ファン８２とオゾン用ファン９２は、装置本体部１Ａの同一側面において、上下方向に並んで配置されている。
また、現像吸引用ファン８２の排気口とオゾン用ファン９２の排気口が平行になるように配置されている。具体的には、現像吸引用ファン８２及びオゾン用ファン９２において用いられているファンの種類に応じて、現像吸引用ファン８２とオゾン用ファン９２とで排気の方向が一致するよう構成されている。
【００５６】
トナー捕集ユニット１００内のオゾン経路において、オゾン用ファン９２の近傍のダクトは、オゾン用ファン９２に向けて、断面積が大きくなっていくように形成されている。つまり、オゾン処理部１２０は、空気の流れ方向下流側で、広がった形状を有している。
【００５７】
また、一般的に、トナー貯留部１１３の角部では乱流が生じやすい。これに対し、本実施形態では、オゾン経路をオゾン用ファン９２に向けて広げたことに伴い、トナー貯留部１１３の奥側（サイクロン部１１２からトナー及び空気が流れ込む部分から見て奥側。図３において右側の部分。）が狭まっている。トナー貯留部１１３の奥側において、底面から側面に斜めの壁が形成されているので、乱流が起こりにくい。そのため、トナー貯留部１１３においてトナーの吹き溜りが発生しにくくなり、トナーの捕集量を上げることができる。
【００５８】
電源２００は、画像形成装置１の電源であり、画像形成装置１を構成する各部に電力を供給する。
トナー捕集ユニット１００内のオゾン経路（オゾン処理部１２０）の下側に、加熱源が配置されている。ここでは、加熱源として、電源２００（図１参照）を用いる。
【００５９】
なお、加熱源として用いる電源２００は、画像形成装置１の一部の構成部品に電力を供給するものであってもよい。例えば、加熱源として用いる電源２００は、画像形成装置１の動作時に常時稼働しているユニット（操作表示部７０等）の電源であってもよい。また、加熱源として用いる電源２００は、現像吸引用ファン８２の電源やオゾン用ファン９２の電源であってもよい。
【００６０】
制御部５０は、画像形成装置１の機械動作の中で、オゾン用ファン９２の動作を画像形成動作より早く開始させる。具体的には、制御部５０は、オゾン用ファン９２の動作を帯電部３２における帯電動作より早く開始させる。
また、制御部５０は、画像形成装置１の機械動作の中で、オゾン用ファン９２の動作を画像形成動作より遅く終了させる。具体的には、制御部５０は、オゾン用ファン９２の動作を帯電部３２における帯電動作より遅く終了させる。
【００６１】
画像形成装置１において、複数枚の用紙に対する画像形成を行う場合には、制御部５０は、１枚目の用紙に対する帯電動作より早くオゾン用ファン９２の動作を開始させ、最終用紙に対する帯電動作より遅くオゾン用ファン９２の動作を終了させる。
【００６２】
トナー捕集ユニット１００内のオゾン経路（オゾン処理部１２０）において、フィルター部１２３は、空気の流れ方向において流入口１２１のすぐ下流に設けられていることが望ましい。流入口１２１からフィルター部１２３までの距離と比較して、フィルター部１２３からオゾン用ファン９２までの距離を長くすることで、オゾン用ファン９２による空気の流れを効率良く発生させることができる。
【００６３】
図４は、トナー捕集ユニット１００の外観斜視図である。図４中、矢印Ｘ方向は、オゾン処理部１２０において主に空気が流れる方向を示しており、矢印Ｙ方向は、矢印Ｘ方向と直交する奥行き方向を示しており、矢印Ｚ方向は、上下方向を示している。
トナー捕集ユニット１００において、オゾン経路の空気が流れる方向と直交する奥行き方向の幅Ｙ１は、現像吸引経路の空気が流れる方向と直交する奥行き方向の幅Ｙ２より小さい。トナー処理部１１０において空気が流れる方向は、サイクロン部１１２における旋回流れを除き、主にＸＺ平面に平行な方向であるから、トナー捕集ユニット１００内で現像吸引経路の空気が流れる方向と直交する奥行き方向も、矢印Ｙ方向であると言える。
現像吸引経路において、サイクロン部１１２の円筒は大きくなる傾向にあるため、ある程度の奥行きが必要である。一方、オゾン経路については、そこまで奥行きを持たせる必要はないから、オゾン経路の奥行き方向の幅Ｙ１は、現像吸引経路（特に、トナー貯留部１１３）の奥行き方向の幅Ｙ２より小さくてよい。
【００６４】
また、オゾン経路の一部は、独立して交換可能となっている。具体的には、トナー捕集ユニット１００内のオゾン経路（オゾン処理部１２０）が、独立して交換可能となっている。
【００６５】
さらに、オゾン処理部１２０の一部を、独立して交換可能としてもよい。
図４に示すように。オゾン処理部１２０には、フィルター交換用の蓋１２５が設けられている。サービスマンは、この蓋１２５を開けて、フィルター部１２３（オゾン分解フィルター）を交換することができる。
【００６６】
図５に、画像形成装置１の装置本体部１Ａからトナー捕集ユニット１００を取り外す際の様子を示す。サービスマンは、トナー貯留部１１３の上面１１３ａと下面１１３ｂに指をかけて、トナー貯留部１１３をつかんでトナー捕集ユニット１００を取り外す。また、トナー捕集ユニット１００を取り付ける際も同様に、トナー貯留部１１３の上面１１３ａと下面１１３ｂに指をかけて、トナー貯留部１１３を持ち手として利用する。トナー貯留部１１３を持ち手に適したサイズとすることで、トナー捕集ユニット１００の取り扱いが容易になる。
【００６７】
制御部５０は、現像吸引用ファン８２から出力されるパルス信号に基づいて、現像吸引用ファン８２の回転速度（単位時間あたりの回転数）を算出する。
画像形成装置１により画像形成が開始され、トナー貯留部１１３にトナーが貯留されていくとともにフィルター部１１５によりトナーが捕集されていくと、現像吸引用ファン８２を通過する空気の流量が減少していくため、所定の電圧で駆動している現像吸引用ファン８２は、回転負荷の減少に伴い、回転速度が上昇する。そして、トナー貯留部１１３がトナーで満たされた満杯状態となった後は、トナー貯留部１１３のトナーが巻き上がってフィルター部１１５に目詰まりが発生し、現像吸引用ファン８２の回転速度が急激に上昇する。
制御部５０は、現像吸引用ファン８２の回転速度の変化に基づいて、現像吸引用ファン８２の回転速度が所定値以上になった場合に、トナー貯留部１１３が満杯状態となったことを検出する。
【００６８】
以上説明したように、本実施形態によれば、画像形成装置１において、現像吸引経路とオゾン経路が、途中で合流することなく、別々に設けられているので、飛散トナーとオゾンが混じることによる異臭の発生を防止することができる。
【００６９】
また、飛散トナーの吸引には、オゾンの吸引と比較して、より大きな吸引力が必要である。オゾン経路（オゾン処理部１２０）を、現像吸引経路（トナー処理部１１０）より各感光体３１から離れた位置に配置することで、現像吸引経路がオゾン経路より短くなるため、現像吸引経路における現像吸引用ファン８２の風圧損を抑制することができる。
【００７０】
また、現像吸引用ファン８２とオゾン用ファン９２が、上下方向に並んで配置されているので、省スペース化を図ることができる。
また、現像吸引用ファン８２の排気口とオゾン用ファン９２の排気口が平行になるように配置されているので、現像吸引用ファン８２から排出されるファン風により、オゾン経路から排出される空気を拡散させ、オゾン経路から排出される匂いを低減させることができる。
【００７１】
オゾン用ファン９２の大きさに対してオゾン経路の断面積が小さいと、オゾン用ファン９２の風圧損が大きくなる。本実施形態では、トナー捕集ユニット１００内のオゾン経路において、オゾン用ファン９２の近傍のダクトの断面積が、オゾン用ファン９２に向けて大きくなっているため、オゾン用ファン９２の大きさまでダクトが広がっていない場合と比較して、オゾン用ファン９２の風圧損を低下させることができる。
【００７２】
また、トナー捕集ユニット１００内のオゾン経路（オゾン処理部１２０）の下側に、加熱源（電源２００）が配置されているので、加熱源（電源２００）によりオゾン経路の温度を上昇させることで、フィルター部１２３におけるオゾンの分解を促進することができる。
【００７３】
また、オゾン経路の一部（オゾン処理部１２０等）を、独立して交換可能とすることで、トナー捕集ユニット１００の使用可能時間が長くなる。
【００７４】
また、オゾン用ファン９２の動作を、オゾン発生の原因となる帯電動作より早く開始させ、帯電動作より遅く終了させるので、帯電部３２において発生するオゾンを効率良く除去することができる。
【００７５】
なお、上記実施形態における記述は、本発明に係る画像形成装置の例であり、これに限定されるものではない。装置を構成する各部の細部構成及び細部動作に関しても本発明の趣旨を逸脱することのない範囲で適宜変更可能である。
【００７６】
例えば、上記実施形態では、加熱源として、電源２００を用いた場合について説明したが、オゾン経路（オゾン処理部１２０）を加熱する専用のヒーターを用いることとしてもよい。
【符号の説明】
【００７７】
１  画像形成装置
３０  画像形成部
３０Ｙ，３０Ｍ，３０Ｃ，３０Ｋ  画像形成ユニット
３１  感光体
３２  帯電部
３３  現像部
５０  制御部
６０  記憶部
８０  現像吸引ダクト
８１  現像共通ダクト
８２  現像吸引用ファン
９０  帯電吸引ダクト
９１  帯電共通ダクト
９２  オゾン用ファン
１００  トナー捕集ユニット
１１０  トナー処理部
１１２  サイクロン部
１１３  トナー貯留部
１１５  フィルター部
１２０  オゾン処理部
１２３  フィルター部
２００  電源
【図１】
2020187284.tif 000003
【図２】
2020187284.tif 000004
【図３】
2020187284.tif 000005
【図４】
2020187284.tif 000006
【図５】
2020187284.tif 000007